(57)【要約】【課題】  表面シートを非金属の軽量な材料から形成して全体が軽量となると共に、非金属の表面シートでありながら、内部の断熱材の損傷を防ぐことができ、断熱力を一定に保つことができる自動販売機の断熱パネルを提供することを目的とする。【解決手段】  所定間隔をもって平行に配設される２枚の矩形状の表面シート４，４と、表面シート４，４の各辺24，24に沿って介装される縁部材20，21と、縁部材20，21と表面シート４，４により形成された空間内で固化した発泡断熱材１と、発泡断熱材１と一体となった平板状密封袋にて包囲された真空断熱材３と、を備える。そして、表面シート４がガラス繊維含有シートから成る。また、真空断熱材３の両面の全部にわたって、表面シート４，４の内側面が接触している。また、ネジを螺着するための下孔を有するネジ受け部材25が、空間内で発泡断熱材１と一体となって配設される。【選択図】  図１
2007293568.tif 000002
【特許請求の範囲】
【請求項１】
所定間隔をもって平行に配設される２枚の矩形状の表面シート（４)(４）と、該表面シート（４)(４）の各辺（24)(24）に沿って介装される縁部材（20)(21）と、該縁部材（20)(21）と上記表面シート（４)(４）により形成された空間（２）内で固化した発泡断熱材（１）と、を備えた自動販売機の断熱パネルに於て、上記表面シート（４）がガラス繊維含有シートから成ることを特徴とする自動販売機の断熱パネル。
【請求項２】
上記空間（２）内で固化した上記発泡断熱材（１）と一体となった平板状密封袋（13）にて包囲された真空断熱材（３）を備え、該真空断熱材（３）の両面（３ａ)(３ａ）の全部にわたって、上記表面シート（４)(４）の内側面（14)(14）が接触している請求項１記載の自動販売機の断熱パネル。
【請求項３】
ネジを螺着するための雌ネジ孔又は下孔を有するネジ受け部材（25）が、上記空間（２）内で上記発泡断熱材（１）と一体となって配設された請求項１又は２記載の自動販売機の断熱パネル。
【請求項４】
所定間隔をもって平行に配設される２枚の矩形状の表面シート（４)(４）と、該表面シート（４)(４）の各辺（24)(24）に沿って介装される縁部材（20)(21）と、該縁部材（20)(21）と上記表面シート（４)(４）により形成された空間（２）内で固化した発泡断熱材（１）と、該空間（２）内で固化した該発泡断熱材（１）と一体となった平板状密封袋（13）にて包囲された真空断熱材（３）と、を備えた自動販売機の断熱パネルに於て、
２枚の上記表面シート（４)(４）が紙から成り、かつ、各該表面シート（４）と上記真空断熱材（３）との間に、金属製保護板材（５）が介設されていることを特徴とする自動販売機の断熱パネル。
【請求項５】
ネジを螺着するための雌ネジ孔又は下孔を有するネジ受け部材（25）が、上記空間（２）内で上記発泡断熱材（１）と一体となって配設された請求項４記載の自動販売機の断熱パネル。
【発明の詳細な説明】
【技術分野】
【０００１】
本発明は、自動販売機に用いられる断熱パネルに関するものである。
【背景技術】
【０００２】
従来の自動販売機の断熱パネルは、２枚の表面材の間に真空断熱材及び発泡材が介装され、表面シートを紙や樹脂等の非金属の材料にて形成したものが知られている（例えば、特許文献１，２参照）。
【特許文献１】特開２００４−２３４３９２
【特許文献２】特開２００２−１７５５６３
【発明の開示】
【発明が解決しようとする課題】
【０００３】
従来のこの断熱パネルにおいて、紙は線膨張係数が大きいので、表面シートが紙製の場合、自動販売機内部にセットして使用されるうちに温帯と冷帯の温度差により反り易く、破れたり劣化して断熱機能が低下し易い。また、紙は、金属に比べて強度や剛性が遥かに低いため、自動販売機内に断熱パネルをセットするとき、表面シートが隣接する商品収納庫の突起部等に接触して突き破られて、真空断熱材が損傷する虞れがあり、断熱機能が低下してしまう。また、断熱パネルを製造する工程において、２枚の紙製の表面材が形成する空間内に樹脂液を注入して固化するとき表面材に皺が生じ易く、完成時に外観不良になる虞れがある。
また、樹脂も線膨張係数が大きいため、樹脂を用いた表面シートは、紙製の表面シートと同様に、自動販売機内部にて温帯と冷帯の温度差により反り易い。
【０００４】
そこで、本発明は、表面シートが非金属の軽量な材料から形成され全体が軽量となると共に、非金属の表面シートでありながら、内部の断熱材の損傷を防ぐことができ、断熱力を一定に保つことができ、さらに、温度差によって反り返りにくい自動販売機の断熱パネルを提供することを目的とする。
【課題を解決するための手段】
【０００５】
上記目的を達成するために、本発明に係る自動販売機の断熱パネルは、所定間隔をもって平行に配設される２枚の矩形状の表面シートと、該表面シートの各辺に沿って介装される縁部材と、該縁部材と上記表面シートにより形成された空間内で固化した発泡断熱材と、を備えた自動販売機の断熱パネルに於て、上記表面シートがガラス繊維含有シートから成る。
【０００６】
また、上記空間内で固化した上記発泡断熱材と一体となった平板状密封袋にて包囲された真空断熱材を備え、該真空断熱材の両面の全部にわたって、上記表面シートの内側面が接触している。
また、ネジを螺着するための雌ネジ孔又は下孔を有するネジ受け部材が、上記空間内で上記発泡断熱材と一体となって配設されている。
【０００７】
また、本発明に係る自動販売機の断熱パネルは、所定間隔をもって平行に配設される２枚の矩形状の表面シートと、該表面シートの各辺に沿って介装される縁部材と、該縁部材と上記表面シートにより形成された空間内で固化した発泡断熱材と、該空間内で固化した該発泡断熱材と一体となった平板状密封袋にて包囲された真空断熱材と、を備えた自動販売機の断熱パネルに於て、２枚の上記表面シートが紙から成り、かつ、各該表面シートと上記真空断熱材との間に、金属製保護板材が介設されている。
また、ネジを螺着するための雌ネジ孔又は下孔を有するネジ受け部材が、上記空間内で上記発泡断熱材と一体となって配設されている。
【発明の効果】
【０００８】
本発明は、次のような著大な効果を奏する。
本発明に係る自動販売機の断熱パネルは、発泡断熱材を間に挟持する２枚の表面シートがガラス繊維含有シートから成るので、表面シートを金属製にする場合に比べて、断熱ボード全体の軽量化を図ることができる。また、ガラス繊維は線膨張係数が低いので熱膨張しにくく、自動販売機内で温度差が大きい２つの空間の区画壁に用いられた場合でも、表面シートの反りや寸法変化が発生しにくい。よって、自動販売機内での使用による断熱パネルの変形や劣化を防ぐことができる。また、表面シートは十分な強度を有するので、外部にある突起物の接触等があっても真空断熱材の損傷を防ぐことができて、断熱機能が保たれる。
また、真空断熱材の両面の全部にわたって、表面シートの内側面に接触しているので、真空断熱材が、表面シートの間を最大限に占めるように配設され、大きな断熱機能を発揮できる。
【０００９】
また、発泡断熱材と真空断熱材を間に挟持する２枚の表面シートを紙から形成することにより、表面シートを金属製にする場合に比べて、断熱ボード全体の軽量化を図ることができる。また、表面シートを紙から形成すると外部からの衝撃に対する耐力が小さいが、表面シートと真空断熱材との間に金属製保護板材が介設するので、外部にある突起物の接触等があっても、真空断熱材の損傷を防ぐことができて、断熱機能が保たれる。
また、ネジを螺着するための雌ネジ孔又は下孔を有するネジ受け部材が、空間内で発泡断熱材と一体となって配設されているので、表面シートが非金属であってネジを直接螺着可能な強度を有していなくても、ネジを螺着することができる。よって、断熱パネルを、ネジを用いて、自動販売機内で隣接する商品収納庫等に固定できる。
【発明を実施するための最良の形態】
【００１０】
以下、実施の形態を示す図面に基づき、本発明を詳説する。
図１〜図５は本発明に係る自動販売機の断熱パネルの実施の一形態を示し、この断熱パネルは、所定間隔をもって平行に配設される２枚の矩形状の表面シート４, ４と、表面シート４, ４の各辺24，24に沿って介装される縁部材20，21と、縁部材20，21と表面シート４，４により形成された空間２内で固化した発泡断熱材１と、を備えている。
【００１１】
先ず、表面シート４について説明する。各表面シート４は縦長矩形状を有し、ガラス繊維含有シートから成る。このガラス繊維含有シートは、例えば、ガラス繊維にポリプロピレン樹脂等の熱可塑性樹脂を含ませたシート状複合材料であって、長尺ガラス繊維が一方向又は直交状（クロス状）に均一に配列したものである。ガラス繊維の含有量は約70重量％程度が望ましい。この表面シート４は厚さが0.15mm〜0.45mm程度であり、柔軟性を有して、かつ、ポリプロピレンの熱可塑性の特性により、低圧力化での熱加工成形が可能である。また、十分な強度と剛性を有し、熱膨張や吸湿乾燥によって寸法変化しにくく、反りにくいものである。また、この表面シート４はポリプロピレン樹脂等の熱可塑性樹脂が含まれているため水分の内部への透過が防がれて、発泡断熱材１の発泡ウレタンの劣化を防止し、断熱性能が低下しない。
【００１２】
次に、縁部材20，21について説明する。表面シート４，４の各辺24…，24…のうち手前側の縦辺24ａ，24ａには、後述するパッキン部材８から成る縁部材20が介装され、かつ、各辺24…，24…のうち奥側の縦辺24ｂ，24ｂと、上部の横辺24ｃ，24ｃと下部の横辺24ｃ，24ｃには、細長四角柱形状の発泡部材９…から成る縁部材21が介装される。発泡部材９は、例えば、発泡スチロール・発泡ポリエチレン・発泡ポリウレタン等からなる。つまり、縁部材20と縁部材21…から（シール用）矩形枠が形成されて、２枚の表面シート４，４の間で周縁部に沿って挟持される。なお、パッキン部材８は、ゴム又はプラスチックから２色同時成形によって長辺状の硬質辺部28・軟質辺部29が一体となって形成されたものであり（図９，図10参照）、このうち硬質辺部28が、表面シート４，４の手前側の辺24ａ，24ａに介装（挟持）され、かつ、軟質辺部29は、該縦辺24ａ，24ａから手前側に突出する。軟質辺部29は縦長の薄肉筒状に形成されている。この軟質辺部29は、自動販売機内にセット後に、閉められる前扉の後ろ面に密着して、自動販売機内の横方向の温度の移動を防ぐ。なお、断熱パネルが自動販売機内にセットされた状態においてパッキン部材８が配設される側を手前側とする。
【００１３】
また、３は平板状の真空断熱材であり、空間２内で固化した発泡断熱材１と一体となって空間２内に配設される。真空断熱材３は、平板状断熱芯材23と、断熱芯材23を真空状として密封して内包する密封袋13と、を有する。断熱芯材23はグラスウールや発泡ポリウレタン等の全体に連続気泡が形成された多孔質材料である。また、密封袋13は、アルミニウム蒸着ＰＥＴとアルミニウム箔とが積層され、また所望により、ナイロンや高密度ポリエチレン等がさらに積層された多層構造を有する。断熱芯材23を密封袋13内部に密封する際に真空引きをすることによって、内部が真空状態に保持される。
発泡断熱材１は、樹脂液が発泡・固化した発泡ポリウレタン等の断熱材である。
そして、真空断熱材３は、空間２内の下寄りの位置において、縁部材20，21と一定間隔をもって配設されて、発泡断熱材１に包囲された状態で一体になっている。
かつ、真空断熱材３は、その両面３ａ，３ａの全部にわたって、表面シート４，４の内側面14，14に接触しており（図５参照）、真空断熱材３と２枚の表面シート４，４間には発泡断熱体１は介在していない。このように真空断熱材３が表面シート４，４の間を最大限に占めるため、特にこの部分の断熱力は大きい。
そして、断熱パネルを自動販売機内部にセットし、隣設される商品収納庫の突起物等が表面シート４に接触しても、ガラス繊維含有シートから成る表面シート４は破れることがなく、内部の真空断熱材３の損傷が防がれて、断熱機能の低下が防がれる。
【００１４】
また、ネジを螺着するための雌ネジ孔又は下孔（以下、「雌ネジ孔等」という。）を有するネジ受け部材25が、空間２内で発泡断熱材１と一体となって配設されている。ネジ受け部材25はプラスチック等にて形成し、かつ、雌ネジ孔等を貫設したものである。ネジ受け部材25は、樹脂液を注入前の空間２内（の４隅近傍等）において、雌ネジ孔等が表面シート４，４の内側面14，14に開口するように配設されて、両面全部にわたって表面シート４，４の内側面14，14に接触しており、空間２内に注入された樹脂液が固化した発泡断熱材１と一体となる（図３参照）。断熱パネルを自動販売機内にセットして隣接する商品収納庫等に固定する場合に、ネジを、表面シート４に差しつつネジ受け部材25の雌ネジ孔等に螺着する。なお、ネジ受け部材25としては、プラスチック以外に金属とし、かつ、金属のときは板片状としても良く、また、ネジ受け部材25の形状は、種々設計変更自由である。
【００１５】
また、図示省略するが、断熱パネルの製造方法（手順）について説明する。先ず、２枚の矩形状の表面シート４, ４を所定間隔をもって平行に配設し、表面シート４, ４間に、真空断熱材３を挟んだ保護板材５，５と、ネジ受け部材25とを挟んで内側面14，14に接触させ、かつ、表面シート４, ４の各辺24…，24…に沿って縁部材20，21を介装して、内部空間２を有する平板状の中間体を形成する。そして、この箱体を発泡治具内にセットしたものをプレス装置で上下からプレスして、縁部材21に貫孔してある注入孔にノズルを差込み、空間２内に樹脂液を注入して発泡させて、該内部空間２内に発泡樹脂を充填する。そして、樹脂液が固化して発泡断熱材１になったら治具から取り出す。このように、パッキン部材８も治具内で一体発泡する成形（クローズ成形）によって、樹脂液の注入・固化と共にパッキン部材８を一体にすることができるので、押出成形と違い、パッキン部材８を後付けする手間が省かれる。
【００１６】
次に、図６〜図11は本発明に係る自動販売機の断熱パネルの他の実施の一形態を示し、断熱パネルは、所定間隔をもって平行に配設される２枚の矩形状の表面シート４, ４と、表面シート４, ４の各辺24，24に沿って介装される縁部材20，21と、縁部材20，21と表面シート４，４により形成された空間２内で固化した発泡断熱材１と、を備えている。
【００１７】
先ず、表面シート４については、縦長矩形状を有する紙から成る。この紙の表面には樹脂コーティングが積層されて防水処理が行われている。この表面シート４によれば、水分が内部へ浸入することがなく、内部の発泡断熱材１の劣化が防がれ、断熱性能が低下しない。
【００１８】
次に、縁部材20，21について説明する。表面シート４，４の各辺24…，24…のうち手前側の縦辺24ａ，24ａには、後述するパッキン部材８から成る縁部材20が介装され、かつ、各辺24…，24…のうち奥側の縦辺24ｂ，24ｂと、上部の横辺24ｃ，24ｃと下部の横辺24ｃ，24ｃには、細長四角柱形状の発泡部材９…から成る縁部材21が介装される。発泡部材９は、例えば、発泡スチロール・発泡ポリエチレン・発泡ポリウレタン等からなる。つまり、縁部材20と縁部材21…から（シール用）矩形枠が形成されて、２枚の表面シート４，４の間で周縁部に沿って挟持される。なお、パッキン部材８は、ゴム又はプラスチックから２色同時成形によって長辺状の硬質辺部28・軟質辺部29が一体となって形成されたものであり（図９，図10参照）、このうち硬質辺部28が、表面シート４，４の手前側の辺24ａ，24ａに介装（挟持）され、かつ、軟質辺部29は、該縦辺24ａ，24ａから手前側に突出する。軟質辺部29は縦長の薄肉筒状に形成されている。この軟質辺部29は、自動販売機内にセット後に、閉められる前扉の後ろ面に密着して、自動販売機内の横方向の温度の移動を防ぐ。
【００１９】
また、３は平板状の真空断熱材であり、空間２内で固化した発泡断熱材１と一体となって空間２内に配設される。真空断熱材３は、平板状断熱芯材23と、断熱芯材23を真空状として密封して内包する密封袋13と、を有する。断熱芯材23はグラスウールや発泡ポリウレタン等の全体に連続気泡が形成された多孔質材料である。また、密封袋13は、アルミニウム蒸着ＰＥＴとアルミニウム箔とが積層され、また所望により、ナイロンや高密度ポリエチレン等がさらに積層された多層構造を有する。断熱芯材23を密封袋13内部に密封する際に真空引きをすることによって、内部が真空状態に保持される。
発泡断熱材１は、樹脂液が発泡して固化した発泡ポリウレタン等の断熱材である。
そして、真空断熱材３は、空間２内の下寄りの位置において、縁部材20，21と一定間隔をもって配設されて、発泡断熱材１に包囲された状態で一体になっている。
【００２０】
かつ、各表面シート４と真空断熱材３との間に、金属製保護板材５が介設されている（図８参照）。上述のように、表面シート４が紙から形成されることから外部からの衝撃や接触に対する強度が低いために、保護板材５によって真空断熱材３を保護する。保護板材５は、真空断熱材３よりも広い矩形状の面を有し、保護板材５は、その外側面の全部にわたって表面シート４の内側面14に当接し、かつ、その内側面が真空断熱材３の面３ａの全部にわたって接触している。このように、真空断熱材３は、その両面３ａ，３ａの全範囲にわたって、２枚の保護板材５，５に保護されており、断熱ボードが外部から衝撃を受けても、真空断熱材３は損傷せず断熱機能が低下しない。
【００２１】
また、ネジを螺着するための雌ネジ孔又は下孔（以下、「雌ネジ孔等」という。）を有するネジ受け部材25が、空間２内で発泡断熱材１と一体となって配設されている。ネジ受け部材25はプラスチック等を直方体状に形成し、かつ、雌ネジ孔等を貫設したものである。ネジ受け部材25は、樹脂液を注入前の空間２内（の４隅近傍等）において、雌ネジ孔等が表面シート４，４の内側面14，14に開口するように配設されて、両面全部にわたって表面シート４，４の内側面14，14に接触しており、空間２内に注入された樹脂液が固化した発泡断熱材１と一体となる（図３参照）。断熱パネルを自動販売機内にセットして隣接する商品収納庫等に固定する場合に、ネジを、表面シート４に差しつつネジ受け部材25の雌ネジ孔等に螺着する。
【００２２】
また、図示省略するが、断熱パネルの製造方法（手順）について説明する。先ず、２枚の矩形状の表面シート４, ４を所定間隔をもって平行に配設し、表面シート４, ４間に、真空断熱材３を挟んだ保護板材５，５と、ネジ受け部材25とを挟んで内側面14，14に接触させ、かつ、表面シート４, ４の各辺24…，24…に沿って縁部材20，21を介装して、内部空間２を有する平板状の中間体を形成する。そして、この箱体を発泡治具内にセットしたものをプレス装置で上下からプレスして、縁部材21に貫孔してある注入孔にノズルを差込み、空間２内に樹脂液を注入して発泡させて該内部空間２内に発泡樹脂を充填する。そして、樹脂液が固化して発泡断熱材１になったら治具から取り出して使用する。このように、パッキン部材８も治具内で一体発泡する成形（クローズ成形）によって、樹脂液の注入・固化と共にパッキン部材８を一体にすることができるので、押出成形と違い、パッキン部材８を後付けする手間が省かれコスト低減を図ることができる。なお、本発明は、図示の上述の実施の形態以外に設計変更自由であって、ネジ受け部材25を省略して、図６〜図11に於ける保護板材５を大き目に設定して、この保護板材５に雌ネジ孔を有する構成としても良い。
【００２３】
以上のように、本発明に係る自動販売機の断熱パネルは、所定間隔をもって平行に配設される２枚の矩形状の表面シート４, ４と、表面シート４, ４の各辺24，24に沿って介装される縁部材20，21と、縁部材20，21と表面シート４，４により形成された空間２内で固化した発泡断熱材１と、を備え、表面シート４がガラス繊維含有シートから成るので、表面シートを金属製にする場合に比べて、断熱ボード全体の軽量化を図ることができる。また、ガラス繊維は線膨張係数が低いので熱膨張しにくく、自動販売機内で温度差が大きい２つの空間の区画壁に用いられた場合でも、表面シート４の反りや寸法変化が発生しにくい。よって、自動販売機内での使用による断熱パネルの変形や劣化を防ぐことができる。また、表面シート４は十分な強度を有するので、外部にある突起物の接触等に対し、断熱材の損傷を防ぐことができて、断熱機能が保たれる。
【００２４】
また、空間２内で固化した発泡断熱材１と一体となった平板状密封袋13にて包囲された真空断熱材３を備え、真空断熱材３の両面３ａ，３ａの全部にわたって、表面シート４，４の内側面14，14が接触しているので、真空断熱材３が、表面シート４，４の間を最大限に占めるように配設され、大きな断熱機能を発揮できる。
【００２５】
また、ネジを螺着するための雌ネジ孔又は下孔を有するネジ受け部材25が、空間２内で発泡断熱材１と一体となって配設されているので、表面シート４が非金属であってネジを直接螺着可能な強度を有していなくても、ネジを螺着することができる。よって、断熱パネルを、ネジを用いて、自動販売機内で隣接する商品収納庫等に固定できる。
【００２６】
また、本発明に係る自動販売機の断熱パネルは、所定間隔をもって平行に配設される２枚の矩形状の表面シート４，４と、表面シート４，４の各辺24，24に沿って介装される縁部材20，21と、縁部材20，21と表面シート４，４により形成された空間２内で固化した発泡断熱材１と、空間２内で固化した発泡断熱材１と一体となった平板状密封袋13にて包囲された真空断熱材３と、を備え、２枚の表面シート４，４が紙から成り、かつ、各表面シート４と真空断熱材３との間に、金属製保護板材５が介設されているので、表面シートを金属製にする場合に比べて、断熱ボード全体の軽量化を図ることができる。また、表面シート４は紙から形成されているため、外部から衝撃を受けて破れやすいが、表面シート４と真空断熱材３との間に金属製保護板材５が介設されるので、外部にある突起物の接触等があっても真空断熱材３の損傷を防ぐことができて、断熱機能が保たれる。
【００２７】
また、ネジを螺着するための雌ネジ孔又は下孔を有するネジ受け部材25が、空間２内で発泡断熱材１と一体となって配設されているので、表面シート４が非金属であってネジを直接螺着可能な強度を有していなくても、ネジを螺着することができる。よって、断熱パネルを、ネジを用いて、自動販売機内で隣接する商品収納庫等に固定できる。
【図面の簡単な説明】
【００２８】
【図１】本発明に係る自動販売機の断熱パネルの実施の一形態を示す斜視図である。
【図２】要部拡大正面図である。
【図３】図２のＡ−Ａ断面図である。
【図４】図２のＢ−Ｂ断面図である。
【図５】要部断面図である。
【図６】本発明に係る自動販売機の断熱パネルの他の実施の形態を示す斜視図である。
【図７】要部正面図である。
【図８】図７のＣ−Ｃ断面図である。
【図９】要部拡大正面図である。
【図１０】図９のＤ−Ｄ断面図である。
【図１１】図９のＥ−Ｅ断面図である。
【符号の説明】
【００２９】
１  発泡断熱材
２  空間
３  真空断熱材
３ａ  面
４  表面シート
５  保護板材
13  密封袋
14  内側面
20  縁部材
21  縁部材
24  辺
25  ネジ受け部材
【図１】
2007293568.tif 000003
【図２】
2007293568.tif 000004
【図３】
2007293568.tif 000005
【図４】
2007293568.tif 000006
【図５】
2007293568.tif 000007
【図６】
2007293568.tif 000008
【図７】
2007293568.tif 000009
【図８】
2007293568.tif 000010
【図９】
2007293568.tif 000011
【図１０】
2007293568.tif 000012
【図１１】
2007293568.tif 000013
【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
所定間隔をもって平行に配設される２枚の矩形状の表面シート（４)(４）と、該表面シート（４)(４）の各辺（24)(24）に沿って介装される縁部材（20)(21）と、該縁部材（20)(21）と上記表面シート（４)(４）により形成された空間（２）内で固化した発泡断熱材（１）と、を備えた自動販売機の断熱パネルに於て、
上記表面シート（４）がガラス繊維含有シートから成り、さらに、上記空間（２）内で固化した上記発泡断熱材（１）と一体となった平板状密封袋（13）にて包囲された真空断熱材（３）を備え、該真空断熱材（３）の両面（３ａ)(３ａ）の全部にわたって、上記表面シート（４)(４）の内側面（14)(14）が接触して、上記真空断熱材（３）の上記両面（３ａ)(３ａ）の全部と、上記表面シート（４)(４）の上記内側面（14)(14）の間には、発泡断熱材（１）が介在しないように構成し、さらに、ネジを螺着するための雌ネジ孔又は下孔を有するネジ受け部材（25）が、上記空間（２）内で上記発泡断熱材（１）と一体となって配設され、しかも、上記ネジ受け部材（25）は２枚の上記表面シート（４)(４）の上記内側面（14)(14）に接触していることを特徴とする自動販売機の断熱パネル。
【請求項２】
所定間隔をもって平行に配設される２枚の矩形状の表面シート（４)(４）と、該表面シート（４)(４）の各辺（24)(24）に沿って介装される縁部材（20)(21）と、該縁部材（20)(21）と上記表面シート（４)(４）により形成された空間（２）内で固化した発泡断熱材（１）と、該空間（２）内で固化した該発泡断熱材（１）と一体となった平板状密封袋（13）にて包囲された真空断熱材（３）と、を備えた自動販売機の断熱パネルに於て、
２枚の上記表面シート（４)(４）が紙から成り、かつ、各該表面シート（４）と上記真空断熱材（３）との間に、金属製保護板材（５）が介設されていることを特徴とする自動販売機の断熱パネル。
【請求項３】
ネジを螺着するための雌ネジ孔又は下孔を有するネジ受け部材（25）が、上記空間（２）内で上記発泡断熱材（１）と一体となって配設された請求項２記載の自動販売機の断熱パネル。
【手続補正２】
【補正対象書類名】明細書
【補正対象項目名】全文
【補正方法】変更
【補正の内容】
【発明の詳細な説明】
【技術分野】
【０００１】
本発明は、自動販売機に用いられる断熱パネルに関するものである。
【背景技術】
【０００２】
従来の自動販売機の断熱パネルは、２枚の表面材の間に真空断熱材及び発泡材が介装され、表面シートを紙や樹脂等の非金属の材料にて形成したものが知られている（例えば、特許文献１，２参照）。
【特許文献１】特開２００４−２３４３９２
【特許文献２】特開２００２−１７５５６３
【発明の開示】
【発明が解決しようとする課題】
【０００３】
従来のこの断熱パネルにおいて、紙は線膨張係数が大きいので、表面シートが紙製の場合、自動販売機内部にセットして使用されるうちに温帯と冷帯の温度差により反り易く、破れたり劣化して断熱機能が低下し易い。また、紙は、金属に比べて強度や剛性が遥かに低いため、自動販売機内に断熱パネルをセットするとき、表面シートが隣接する商品収納庫の突起部等に接触して突き破られて、真空断熱材が損傷する虞れがあり、断熱機能が低下してしまう。また、断熱パネルを製造する工程において、２枚の紙製の表面材が形成する空間内に樹脂液を注入して固化するとき表面材に皺が生じ易く、完成時に外観不良になる虞れがある。
また、樹脂も線膨張係数が大きいため、樹脂を用いた表面シートは、紙製の表面シートと同様に、自動販売機内部にて温帯と冷帯の温度差により反り易い。
【０００４】
そこで、本発明は、表面シートが非金属の軽量な材料から形成され全体が軽量となると共に、非金属の表面シートでありながら、内部の断熱材の損傷を防ぐことができ、断熱力を一定に保つことができ、さらに、温度差によって反り返りにくい自動販売機の断熱パネルを提供することを目的とする。
【課題を解決するための手段】
【０００５】
上記目的を達成するために、本発明に係る自動販売機の断熱パネルは、所定間隔をもって平行に配設される２枚の矩形状の表面シートと、該表面シートの各辺に沿って介装される縁部材と、該縁部材と上記表面シートにより形成された空間内で固化した発泡断熱材と、該空間内で固化した該発泡断熱材と一体となった平板状密封袋にて包囲された真空断熱材と、を備えた自動販売機の断熱パネルに於て、上記表面シートがガラス繊維含有シートから成り、さらに、上記空間内で固化した上記発泡断熱材と一体となった平板状密封袋にて包囲された真空断熱材を備え、該真空断熱材の両面の全部にわたって、上記表面シートの内側面が接触して、上記真空断熱材の上記両面の全部と、上記表面シートの上記内側面の間には、発泡断熱材が介在しないように構成し、さらに、ネジを螺着するための雌ネジ孔又は下孔を有するネジ受け部材が、上記空間内で上記発泡断熱材と一体となって配設され、しかも、上記ネジ受け部材は２枚の上記表面シートの上記内側面に接触している。
【０００６】
また、本発明に係る自動販売機の断熱パネルは、所定間隔をもって平行に配設される２枚の矩形状の表面シートと、該表面シートの各辺に沿って介装される縁部材と、該縁部材と上記表面シートにより形成された空間内で固化した発泡断熱材と、該空間内で固化した該発泡断熱材と一体となった平板状密封袋にて包囲された真空断熱材と、を備えた自動販売機の断熱パネルに於て、２枚の上記表面シートが紙から成り、かつ、各該表面シートと上記真空断熱材との間に、金属製保護板材が介設されている。
また、ネジを螺着するための雌ネジ孔又は下孔を有するネジ受け部材が、上記空間内で上記発泡断熱材と一体となって配設されている。
【発明の効果】
【０００７】
本発明は、次のような著大な効果を奏する。
本発明に係る自動販売機の断熱パネルは、発泡断熱材を間に挟持する２枚の表面シートがガラス繊維含有シートから成るので、表面シートを金属製にする場合に比べて、断熱ボード全体の軽量化を図ることができる。また、ガラス繊維は線膨張係数が低いので熱膨張しにくく、自動販売機内で温度差が大きい２つの空間の区画壁に用いられた場合でも、表面シートの反りや寸法変化が発生しにくい。よって、自動販売機内での使用による断熱パネルの変形や劣化を防ぐことができる。また、表面シートは十分な強度を有するので、外部にある突起物の接触等があっても真空断熱材の損傷を防ぐことができて、断熱機能が保たれる。
また、真空断熱材の両面の全部にわたって、表面シートの内側面に接触しているので、真空断熱材が、表面シートの間を最大限に占めるように配設され、大きな断熱機能を発揮できる。
【０００８】
また、発泡断熱材と真空断熱材を間に挟持する２枚の表面シートを紙から形成することにより、表面シートを金属製にする場合に比べて、断熱ボード全体の軽量化を図ることができる。また、表面シートを紙から形成すると外部からの衝撃に対する耐力が小さいが、表面シートと真空断熱材との間に金属製保護板材が介設するので、外部にある突起物の接触等があっても、真空断熱材の損傷を防ぐことができて、断熱機能が保たれる。
また、ネジを螺着するための雌ネジ孔又は下孔を有するネジ受け部材が、空間内で発泡断熱材と一体となって配設されているので、表面シートが非金属であってネジを直接螺着可能な強度を有していなくても、ネジを螺着することができる。よって、断熱パネルを、ネジを用いて、自動販売機内で隣接する商品収納庫等に固定できる。
【発明を実施するための最良の形態】
【０００９】
以下、実施の形態を示す図面に基づき、本発明を詳説する。
図１〜図５は本発明に係る自動販売機の断熱パネルの実施の一形態を示し、この断熱パネルは、所定間隔をもって平行に配設される２枚の矩形状の表面シート４, ４と、表面シート４, ４の各辺24，24に沿って介装される縁部材20，21と、縁部材20，21と表面シート４，４により形成された空間２内で固化した発泡断熱材１と、を備えている。
【００１０】
先ず、表面シート４について説明する。各表面シート４は縦長矩形状を有し、ガラス繊維含有シートから成る。このガラス繊維含有シートは、例えば、ガラス繊維にポリプロピレン樹脂等の熱可塑性樹脂を含ませたシート状複合材料であって、長尺ガラス繊維が一方向又は直交状（クロス状）に均一に配列したものである。ガラス繊維の含有量は約70重量％程度が望ましい。この表面シート４は厚さが0.15mm〜0.45mm程度であり、柔軟性を有して、かつ、ポリプロピレンの熱可塑性の特性により、低圧力化での熱加工成形が可能である。また、十分な強度と剛性を有し、熱膨張や吸湿乾燥によって寸法変化しにくく、反りにくいものである。また、この表面シート４はポリプロピレン樹脂等の熱可塑性樹脂が含まれているため水分の内部への透過が防がれて、発泡断熱材１の発泡ウレタンの劣化を防止し、断熱性能が低下しない。
【００１１】
次に、縁部材20，21について説明する。表面シート４，４の各辺24…，24…のうち手前側の縦辺24ａ，24ａには、後述するパッキン部材８から成る縁部材20が介装され、かつ、各辺24…，24…のうち奥側の縦辺24ｂ，24ｂと、上部の横辺24ｃ，24ｃと下部の横辺24ｃ，24ｃには、細長四角柱形状の発泡部材９…から成る縁部材21が介装される。発泡部材９は、例えば、発泡スチロール・発泡ポリエチレン・発泡ポリウレタン等からなる。つまり、縁部材20と縁部材21…から（シール用）矩形枠が形成されて、２枚の表面シート４，４の間で周縁部に沿って挟持される。なお、パッキン部材８は、ゴム又はプラスチックから２色同時成形によって長辺状の硬質辺部28・軟質辺部29が一体となって形成されたものであり（図９，図10参照）、このうち硬質辺部28が、表面シート４，４の手前側の辺24ａ，24ａに介装（挟持）され、かつ、軟質辺部29は、該縦辺24ａ，24ａから手前側に突出する。軟質辺部29は縦長の薄肉筒状に形成されている。この軟質辺部29は、自動販売機内にセット後に、閉められる前扉の後ろ面に密着して、自動販売機内の横方向の温度の移動を防ぐ。なお、断熱パネルが自動販売機内にセットされた状態においてパッキン部材８が配設される側を手前側とする。
【００１２】
また、３は平板状の真空断熱材であり、空間２内で固化した発泡断熱材１と一体となって空間２内に配設される。真空断熱材３は、平板状断熱芯材23と、断熱芯材23を真空状として密封して内包する密封袋13と、を有する。断熱芯材23はグラスウールや発泡ポリウレタン等の全体に連続気泡が形成された多孔質材料である。また、密封袋13は、アルミニウム蒸着ＰＥＴとアルミニウム箔とが積層され、また所望により、ナイロンや高密度ポリエチレン等がさらに積層された多層構造を有する。断熱芯材23を密封袋13内部に密封する際に真空引きをすることによって、内部が真空状態に保持される。
発泡断熱材１は、樹脂液が発泡・固化した発泡ポリウレタン等の断熱材である。
そして、真空断熱材３は、空間２内の下寄りの位置において、縁部材20，21と一定間隔をもって配設されて、発泡断熱材１に包囲された状態で一体になっている。
かつ、真空断熱材３は、その両面３ａ，３ａの全部にわたって、表面シート４，４の内側面14，14に接触しており（図５参照）、真空断熱材３と２枚の表面シート４，４間には発泡断熱体１は介在していない。このように真空断熱材３が表面シート４，４の間を最大限に占めるため、特にこの部分の断熱力は大きい。
そして、断熱パネルを自動販売機内部にセットし、隣設される商品収納庫の突起物等が表面シート４に接触しても、ガラス繊維含有シートから成る表面シート４は破れることがなく、内部の真空断熱材３の損傷が防がれて、断熱機能の低下が防がれる。
【００１３】
また、ネジを螺着するための雌ネジ孔又は下孔（以下、「雌ネジ孔等」という。）を有するネジ受け部材25が、空間２内で発泡断熱材１と一体となって配設されている。ネジ受け部材25はプラスチック等にて形成し、かつ、雌ネジ孔等を貫設したものである。ネジ受け部材25は、樹脂液を注入前の空間２内（の４隅近傍等）において、雌ネジ孔等が表面シート４，４の内側面14，14に開口するように配設されて、両面全部にわたって表面シート４，４の内側面14，14に接触しており、空間２内に注入された樹脂液が固化した発泡断熱材１と一体となる（図３参照）。断熱パネルを自動販売機内にセットして隣接する商品収納庫等に固定する場合に、ネジを、表面シート４に差しつつネジ受け部材25の雌ネジ孔等に螺着する。なお、ネジ受け部材25としては、プラスチック以外に金属とし、かつ、金属のときは板片状としても良く、また、ネジ受け部材25の形状は、種々設計変更自由である。
【００１４】
また、図示省略するが、断熱パネルの製造方法（手順）について説明する。先ず、２枚の矩形状の表面シート４, ４を所定間隔をもって平行に配設し、表面シート４, ４間に、真空断熱材３を挟んだ保護板材５，５と、ネジ受け部材25とを挟んで内側面14，14に接触させ、かつ、表面シート４, ４の各辺24…，24…に沿って縁部材20，21を介装して、内部空間２を有する平板状の中間体を形成する。そして、この箱体を発泡治具内にセットしたものをプレス装置で上下からプレスして、縁部材21に貫孔してある注入孔にノズルを差込み、空間２内に樹脂液を注入して発泡させて、該内部空間２内に発泡樹脂を充填する。そして、樹脂液が固化して発泡断熱材１になったら治具から取り出す。このように、パッキン部材８も治具内で一体発泡する成形（クローズ成形）によって、樹脂液の注入・固化と共にパッキン部材８を一体にすることができるので、押出成形と違い、パッキン部材８を後付けする手間が省かれる。
【００１５】
次に、図６〜図11は本発明に係る自動販売機の断熱パネルの他の実施の一形態を示し、断熱パネルは、所定間隔をもって平行に配設される２枚の矩形状の表面シート４, ４と、表面シート４, ４の各辺24，24に沿って介装される縁部材20，21と、縁部材20，21と表面シート４，４により形成された空間２内で固化した発泡断熱材１と、を備えている。
【００１６】
先ず、表面シート４については、縦長矩形状を有する紙から成る。この紙の表面には樹脂コーティングが積層されて防水処理が行われている。この表面シート４によれば、水分が内部へ浸入することがなく、内部の発泡断熱材１の劣化が防がれ、断熱性能が低下しない。
【００１７】
次に、縁部材20，21について説明する。表面シート４，４の各辺24…，24…のうち手前側の縦辺24ａ，24ａには、後述するパッキン部材８から成る縁部材20が介装され、かつ、各辺24…，24…のうち奥側の縦辺24ｂ，24ｂと、上部の横辺24ｃ，24ｃと下部の横辺24ｃ，24ｃには、細長四角柱形状の発泡部材９…から成る縁部材21が介装される。発泡部材９は、例えば、発泡スチロール・発泡ポリエチレン・発泡ポリウレタン等からなる。つまり、縁部材20と縁部材21…から（シール用）矩形枠が形成されて、２枚の表面シート４，４の間で周縁部に沿って挟持される。なお、パッキン部材８は、ゴム又はプラスチックから２色同時成形によって長辺状の硬質辺部28・軟質辺部29が一体となって形成されたものであり（図９，図10参照）、このうち硬質辺部28が、表面シート４，４の手前側の辺24ａ，24ａに介装（挟持）され、かつ、軟質辺部29は、該縦辺24ａ，24ａから手前側に突出する。軟質辺部29は縦長の薄肉筒状に形成されている。この軟質辺部29は、自動販売機内にセット後に、閉められる前扉の後ろ面に密着して、自動販売機内の横方向の温度の移動を防ぐ。
【００１８】
また、３は平板状の真空断熱材であり、空間２内で固化した発泡断熱材１と一体となって空間２内に配設される。真空断熱材３は、平板状断熱芯材23と、断熱芯材23を真空状として密封して内包する密封袋13と、を有する。断熱芯材23はグラスウールや発泡ポリウレタン等の全体に連続気泡が形成された多孔質材料である。また、密封袋13は、アルミニウム蒸着ＰＥＴとアルミニウム箔とが積層され、また所望により、ナイロンや高密度ポリエチレン等がさらに積層された多層構造を有する。断熱芯材23を密封袋13内部に密封する際に真空引きをすることによって、内部が真空状態に保持される。
発泡断熱材１は、樹脂液が発泡して固化した発泡ポリウレタン等の断熱材である。
そして、真空断熱材３は、空間２内の下寄りの位置において、縁部材20，21と一定間隔をもって配設されて、発泡断熱材１に包囲された状態で一体になっている。
【００１９】
かつ、各表面シート４と真空断熱材３との間に、金属製保護板材５が介設されている（図８参照）。上述のように、表面シート４が紙から形成されることから外部からの衝撃や接触に対する強度が低いために、保護板材５によって真空断熱材３を保護する。保護板材５は、真空断熱材３よりも広い矩形状の面を有し、保護板材５は、その外側面の全部にわたって表面シート４の内側面14に当接し、かつ、その内側面が真空断熱材３の面３ａの全部にわたって接触している。このように、真空断熱材３は、その両面３ａ，３ａの全範囲にわたって、２枚の保護板材５，５に保護されており、断熱ボードが外部から衝撃を受けても、真空断熱材３は損傷せず断熱機能が低下しない。
【００２０】
また、ネジを螺着するための雌ネジ孔又は下孔（以下、「雌ネジ孔等」という。）を有するネジ受け部材25が、空間２内で発泡断熱材１と一体となって配設されている。ネジ受け部材25はプラスチック等を直方体状に形成し、かつ、雌ネジ孔等を貫設したものである。ネジ受け部材25は、樹脂液を注入前の空間２内（の４隅近傍等）において、雌ネジ孔等が表面シート４，４の内側面14，14に開口するように配設されて、両面全部にわたって表面シート４，４の内側面14，14に接触しており、空間２内に注入された樹脂液が固化した発泡断熱材１と一体となる（図３参照）。断熱パネルを自動販売機内にセットして隣接する商品収納庫等に固定する場合に、ネジを、表面シート４に差しつつネジ受け部材25の雌ネジ孔等に螺着する。
【００２１】
また、図示省略するが、断熱パネルの製造方法（手順）について説明する。先ず、２枚の矩形状の表面シート４, ４を所定間隔をもって平行に配設し、表面シート４, ４間に、真空断熱材３を挟んだ保護板材５，５と、ネジ受け部材25とを挟んで内側面14，14に接触させ、かつ、表面シート４, ４の各辺24…，24…に沿って縁部材20，21を介装して、内部空間２を有する平板状の中間体を形成する。そして、この箱体を発泡治具内にセットしたものをプレス装置で上下からプレスして、縁部材21に貫孔してある注入孔にノズルを差込み、空間２内に樹脂液を注入して発泡させて該内部空間２内に発泡樹脂を充填する。そして、樹脂液が固化して発泡断熱材１になったら治具から取り出して使用する。このように、パッキン部材８も治具内で一体発泡する成形（クローズ成形）によって、樹脂液の注入・固化と共にパッキン部材８を一体にすることができるので、押出成形と違い、パッキン部材８を後付けする手間が省かれコスト低減を図ることができる。なお、本発明は、図示の上述の実施の形態以外に設計変更自由であって、ネジ受け部材25を省略して、図６〜図11に於ける保護板材５を大き目に設定して、この保護板材５に雌ネジ孔を有する構成としても良い。
【００２２】
以上のように、本発明に係る自動販売機の断熱パネルは、所定間隔をもって平行に配設される２枚の矩形状の表面シート４, ４と、表面シート４, ４の各辺24，24に沿って介装される縁部材20，21と、縁部材20，21と表面シート４，４により形成された空間２内で固化した発泡断熱材１と、を備え、表面シート４がガラス繊維含有シートから成るので、表面シートを金属製にする場合に比べて、断熱ボード全体の軽量化を図ることができる。また、ガラス繊維は線膨張係数が低いので熱膨張しにくく、自動販売機内で温度差が大きい２つの空間の区画壁に用いられた場合でも、表面シート４の反りや寸法変化が発生しにくい。よって、自動販売機内での使用による断熱パネルの変形や劣化を防ぐことができる。また、表面シート４は十分な強度を有するので、外部にある突起物の接触等に対し、断熱材の損傷を防ぐことができて、断熱機能が保たれる。
【００２３】
また、空間２内で固化した発泡断熱材１と一体となった平板状密封袋13にて包囲された真空断熱材３を備え、真空断熱材３の両面３ａ，３ａの全部にわたって、表面シート４，４の内側面14，14が接触しているので、真空断熱材３が、表面シート４，４の間を最大限に占めるように配設され、大きな断熱機能を発揮できる。
【００２４】
また、ネジを螺着するための雌ネジ孔又は下孔を有するネジ受け部材25が、空間２内で発泡断熱材１と一体となって配設されているので、表面シート４が非金属であってネジを直接螺着可能な強度を有していなくても、ネジを螺着することができる。よって、断熱パネルを、ネジを用いて、自動販売機内で隣接する商品収納庫等に固定できる。
【００２５】
また、本発明に係る自動販売機の断熱パネルは、所定間隔をもって平行に配設される２枚の矩形状の表面シート４，４と、表面シート４，４の各辺24，24に沿って介装される縁部材20，21と、縁部材20，21と表面シート４，４により形成された空間２内で固化した発泡断熱材１と、空間２内で固化した発泡断熱材１と一体となった平板状密封袋13にて包囲された真空断熱材３と、を備え、２枚の表面シート４，４が紙から成り、かつ、各表面シート４と真空断熱材３との間に、金属製保護板材５が介設されているので、表面シートを金属製にする場合に比べて、断熱ボード全体の軽量化を図ることができる。また、表面シート４は紙から形成されているため、外部から衝撃を受けて破れやすいが、表面シート４と真空断熱材３との間に金属製保護板材５が介設されるので、外部にある突起物の接触等があっても真空断熱材３の損傷を防ぐことができて、断熱機能が保たれる。
【００２６】
また、ネジを螺着するための雌ネジ孔又は下孔を有するネジ受け部材25が、空間２内で発泡断熱材１と一体となって配設されているので、表面シート４が非金属であってネジを直接螺着可能な強度を有していなくても、ネジを螺着することができる。よって、断熱パネルを、ネジを用いて、自動販売機内で隣接する商品収納庫等に固定できる。
【図面の簡単な説明】
【００２７】
【図１】本発明に係る自動販売機の断熱パネルの実施の一形態を示す斜視図である。
【図２】要部拡大正面図である。
【図３】図２のＡ−Ａ断面図である。
【図４】図２のＢ−Ｂ断面図である。
【図５】要部断面図である。
【図６】本発明に係る自動販売機の断熱パネルの他の実施の形態を示す斜視図である。
【図７】要部正面図である。
【図８】図７のＣ−Ｃ断面図である。
【図９】要部拡大正面図である。
【図１０】図９のＤ−Ｄ断面図である。
【図１１】図９のＥ−Ｅ断面図である。
【符号の説明】
【００２８】
１  発泡断熱材
２  空間
３  真空断熱材
３ａ  面
４  表面シート
５  保護板材
13  密封袋
14  内側面
20  縁部材
21  縁部材
24  辺
25  ネジ受け部材
【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
所定間隔をもって平行に配設される２枚の矩形状の表面シート（４)(４）と、該表面シート（４)(４）の各辺（24)(24）に沿って介装される縁部材（20)(21）と、該縁部材（20)(21）と上記表面シート（４)(４）により形成された空間（２）内で固化した発泡断熱材（１）と、を備えた自動販売機の断熱パネルに於て、
上記表面シート（４）がガラス繊維含有シートから成り、さらに、上記空間（２）内で固化した上記発泡断熱材（１）と一体となった平板状密封袋（13）にて包囲された真空断熱材（３）を備え、該真空断熱材（３）の両面 (３ａ)(３ａ) の全部にわたって、上記表面シート（４)(４）の内側面（14)(14）が接触して、上記真空断熱材（３）の上記両面 (３ａ)(３ａ) の全部と、上記表面シート（４)(４）の上記内側面（14)(14）の間には、発泡断熱材（１）が存在しないように構成し、さらに、ネジを螺着するための雌ネジ孔又は下孔を有するネジ受け部材（25）が、上記空間（２）内で上記発泡断熱材（１）と一体となって配設され、しかも、上記ネジ受け部材（25）は２枚の上記表面シート（４)(４）の上記内側面（14)(14）に接触していることを特徴とする自動販売機の断熱パネル。
【手続補正２】
【補正対象書類名】明細書
【補正対象項目名】全文
【補正方法】変更
【補正の内容】
【発明の詳細な説明】
【技術分野】
【０００１】
本発明は、自動販売機に用いられる断熱パネルに関するものである。
【背景技術】
【０００２】
従来の自動販売機の断熱パネルは、２枚の表面材の間に真空断熱材及び発泡材が介装され、表面シートを紙や樹脂等の非金属の材料にて形成したものが知られている（例えば、特許文献１，２参照）。
【特許文献１】特開２００４−２３４３９２
【特許文献２】特開２００２−１７５５６３
【発明の開示】
【発明が解決しようとする課題】
【０００３】
従来のこの断熱パネルにおいて、紙は線膨張係数が大きいので、表面シートが紙製の場合、自動販売機内部にセットして使用されるうちに温帯と冷帯の温度差により反り易く、破れたり劣化して断熱機能が低下し易い。また、紙は、金属に比べて強度や剛性が遥かに低いため、自動販売機内に断熱パネルをセットするとき、表面シートが隣接する商品収納庫の突起部等に接触して突き破られて、真空断熱材が損傷する虞れがあり、断熱機能が低下してしまう。また、断熱パネルを製造する工程において、２枚の紙製の表面材が形成する空間内に樹脂液を注入して固化するとき表面材に皺が生じ易く、完成時に外観不良になる虞れがある。
また、樹脂も線膨張係数が大きいため、樹脂を用いた表面シートは、紙製の表面シートと同様に、自動販売機内部にて温帯と冷帯の温度差により反り易い。
【０００４】
そこで、本発明は、表面シートが非金属の軽量な材料から形成され全体が軽量となると共に、非金属の表面シートでありながら、内部の断熱材の損傷を防ぐことができ、断熱力を一定に保つことができ、さらに、温度差によって反り返りにくい自動販売機の断熱パネルを提供することを目的とする。
【課題を解決するための手段】
【０００５】
上記目的を達成するために、本発明に係る自動販売機の断熱パネルは、所定間隔をもって平行に配設される２枚の矩形状の表面シートと、該表面シートの各辺に沿って介装される縁部材と、該縁部材と上記表面シートにより形成された空間内で固化した発泡断熱材と、該空間内で固化した該発泡断熱材と一体となった平板状密封袋にて包囲された真空断熱材と、を備えた自動販売機の断熱パネルに於て、上記表面シートがガラス繊維含有シートから成り、さらに、上記空間内で固化した上記発泡断熱材と一体となった平板状密封袋にて包囲された真空断熱材を備え、該真空断熱材の両面の全部にわたって、上記表面シートの内側面が接触して、上記真空断熱材の上記両面の全部と、上記表面シートの上記内側面の間には、発泡断熱材が介在しないように構成し、さらに、ネジを螺着するための雌ネジ孔又は下孔を有するネジ受け部材が、上記空間内で上記発泡断熱材と一体となって配設され、しかも、上記ネジネジ受け部材は２枚の上記表面シートの上記内側面に接触している。
【発明の効果】
【０００６】
本発明は、次のような著大な効果を奏する。
本発明に係る自動販売機の断熱パネルは、発泡断熱材を間に挟持する２枚の表面シートがガラス繊維含有シートから成るので、表面シートを金属製にする場合に比べて、断熱ボード全体の軽量化を図ることができる。また、ガラス繊維は線膨張係数が低いので熱膨張しにくく、自動販売機内で温度差が大きい２つの空間の区画壁に用いられた場合でも、表面シートの反りや寸法変化が発生しにくい。よって、自動販売機内での使用による断熱パネルの変形や劣化を防ぐことができる。また、表面シートは十分な強度を有するので、外部にある突起物の接触等があっても真空断熱材の損傷を防ぐことができて、断熱機能が保たれる。
また、真空断熱材の両面の全部にわたって、表面シートの内側面に接触しているので、真空断熱材が、表面シートの間を最大限に占めるように配設され、大きな断熱機能を発揮できる。
【発明を実施するための最良の形態】
【０００７】
以下、実施の形態を示す図面に基づき、本発明を詳説する。
図１〜図５は本発明に係る自動販売機の断熱パネルの実施の一形態を示し、この断熱パネルは、所定間隔をもって平行に配設される２枚の矩形状の表面シート４, ４と、表面シート４, ４の各辺24，24に沿って介装される縁部材20，21と、縁部材20，21と表面シート４，４により形成された空間２内で固化した発泡断熱材１と、を備えている。
【０００８】
先ず、表面シート４について説明する。各表面シート４は縦長矩形状を有し、ガラス繊維含有シートから成る。このガラス繊維含有シートは、例えば、ガラス繊維にポリプロピレン樹脂等の熱可塑性樹脂を含ませたシート状複合材料であって、長尺ガラス繊維が一方向又は直交状（クロス状）に均一に配列したものである。ガラス繊維の含有量は約70重量％程度が望ましい。この表面シート４は厚さが0.15mm〜0.45mm程度であり、柔軟性を有して、かつ、ポリプロピレンの熱可塑性の特性により、低圧力化での熱加工成形が可能である。また、十分な強度と剛性を有し、熱膨張や吸湿乾燥によって寸法変化しにくく、反りにくいものである。また、この表面シート４はポリプロピレン樹脂等の熱可塑性樹脂が含まれているため水分の内部への透過が防がれて、発泡断熱材１の発泡ウレタンの劣化を防止し、断熱性能が低下しない。
【０００９】
次に、縁部材20，21について説明する。表面シート４，４の各辺24…，24…のうち手前側の縦辺24ａ，24ａには、後述するパッキン部材８から成る縁部材20が介装され、かつ、各辺24…，24…のうち奥側の縦辺24ｂ，24ｂと、上部の横辺24ｃ，24ｃと下部の横辺24ｃ，24ｃには、細長四角柱形状の発泡部材９…から成る縁部材21が介装される。発泡部材９は、例えば、発泡スチロール・発泡ポリエチレン・発泡ポリウレタン等からなる。つまり、縁部材20と縁部材21…から（シール用）矩形枠が形成されて、２枚の表面シート４，４の間で周縁部に沿って挟持される。なお、パッキン部材８は、ゴム又はプラスチックから２色同時成形によって長辺状の硬質辺部28・軟質辺部29が一体となって形成されたものであり（図９，図10参照）、このうち硬質辺部28が、表面シート４，４の手前側の辺24ａ，24ａに介装（挟持）され、かつ、軟質辺部29は、該縦辺24ａ，24ａから手前側に突出する。軟質辺部29は縦長の薄肉筒状に形成されている。この軟質辺部29は、自動販売機内にセット後に、閉められる前扉の後ろ面に密着して、自動販売機内の横方向の温度の移動を防ぐ。なお、断熱パネルが自動販売機内にセットされた状態においてパッキン部材８が配設される側を手前側とする。
【００１０】
また、３は平板状の真空断熱材であり、空間２内で固化した発泡断熱材１と一体となって空間２内に配設される。真空断熱材３は、平板状断熱芯材23と、断熱芯材23を真空状として密封して内包する密封袋13と、を有する。断熱芯材23はグラスウールや発泡ポリウレタン等の全体に連続気泡が形成された多孔質材料である。また、密封袋13は、アルミニウム蒸着ＰＥＴとアルミニウム箔とが積層され、また所望により、ナイロンや高密度ポリエチレン等がさらに積層された多層構造を有する。断熱芯材23を密封袋13内部に密封する際に真空引きをすることによって、内部が真空状態に保持される。
発泡断熱材１は、樹脂液が発泡・固化した発泡ポリウレタン等の断熱材である。
そして、真空断熱材３は、空間２内の下寄りの位置において、縁部材20，21と一定間隔をもって配設されて、発泡断熱材１に包囲された状態で一体になっている。
かつ、真空断熱材３は、その両面３ａ，３ａの全部にわたって、表面シート４，４の内側面14，14に接触しており（図５参照）、真空断熱材３と２枚の表面シート４，４間には発泡断熱体１は介在していない。このように真空断熱材３が表面シート４，４の間を最大限に占めるため、特にこの部分の断熱力は大きい。
そして、断熱パネルを自動販売機内部にセットし、隣設される商品収納庫の突起物等が表面シート４に接触しても、ガラス繊維含有シートから成る表面シート４は破れることがなく、内部の真空断熱材３の損傷が防がれて、断熱機能の低下が防がれる。
【００１１】
また、ネジを螺着するための雌ネジ孔又は下孔（以下、「雌ネジ孔等」という。）を有するネジ受け部材25が、空間２内で発泡断熱材１と一体となって配設されている。ネジ受け部材25はプラスチック等にて形成し、かつ、雌ネジ孔等を貫設したものである。ネジ受け部材25は、樹脂液を注入前の空間２内（の４隅近傍等）において、雌ネジ孔等が表面シート４，４の内側面14，14に開口するように配設されて、両面全部にわたって表面シート４，４の内側面14，14に接触しており、空間２内に注入された樹脂液が固化した発泡断熱材１と一体となる（図３参照）。断熱パネルを自動販売機内にセットして隣接する商品収納庫等に固定する場合に、ネジを、表面シート４に差しつつネジ受け部材25の雌ネジ孔等に螺着する。なお、ネジ受け部材25としては、プラスチック以外に金属とし、かつ、金属のときは板片状としても良く、また、ネジ受け部材25の形状は、種々設計変更自由である。
【００１２】
また、図示省略するが、断熱パネルの製造方法（手順）について説明する。先ず、２枚の矩形状の表面シート４, ４を所定間隔をもって平行に配設し、表面シート４, ４間に、真空断熱材３を挟んだ保護板材５，５と、ネジ受け部材25とを挟んで内側面14，14に接触させ、かつ、表面シート４, ４の各辺24…，24…に沿って縁部材20，21を介装して、内部空間２を有する平板状の中間体を形成する。そして、この箱体を発泡治具内にセットしたものをプレス装置で上下からプレスして、縁部材21に貫孔してある注入孔にノズルを差込み、空間２内に樹脂液を注入して発泡させて、該内部空間２内に発泡樹脂を充填する。そして、樹脂液が固化して発泡断熱材１になったら治具から取り出す。このように、パッキン部材８も治具内で一体発泡する成形（クローズ成形）によって、樹脂液の注入・固化と共にパッキン部材８を一体にすることができるので、押出成形と違い、パッキン部材８を後付けする手間が省かれる。
【００１３】
以上のように、本発明に係る自動販売機の断熱パネルは、所定間隔をもって平行に配設される２枚の矩形状の表面シート４, ４と、表面シート４, ４の各辺24，24に沿って介装される縁部材20，21と、縁部材20，21と表面シート４，４により形成された空間２内で固化した発泡断熱材１と、を備え、表面シート４がガラス繊維含有シートから成るので、表面シートを金属製にする場合に比べて、断熱ボード全体の軽量化を図ることができる。また、ガラス繊維は線膨張係数が低いので熱膨張しにくく、自動販売機内で温度差が大きい２つの空間の区画壁に用いられた場合でも、表面シート４の反りや寸法変化が発生しにくい。よって、自動販売機内での使用による断熱パネルの変形や劣化を防ぐことができる。また、表面シート４は十分な強度を有するので、外部にある突起物の接触等に対し、断熱材の損傷を防ぐことができて、断熱機能が保たれる。
【００１４】
また、空間２内で固化した発泡断熱材１と一体となった平板状密封袋13にて包囲された真空断熱材３を備え、真空断熱材３の両面３ａ，３ａの全部にわたって、表面シート４，４の内側面14，14が接触しているので、真空断熱材３が、表面シート４，４の間を最大限に占めるように配設され、大きな断熱機能を発揮できる。
【００１５】
また、ネジを螺着するための雌ネジ孔又は下孔を有するネジ受け部材25が、空間２内で発泡断熱材１と一体となって配設されているので、表面シート４が非金属であってネジを直接螺着可能な強度を有していなくても、ネジを螺着することができる。よって、断熱パネルを、ネジを用いて、自動販売機内で隣接する商品収納庫等に固定できる。
【図面の簡単な説明】
【００１６】
【図１】本発明に係る自動販売機の断熱パネルの実施の一形態を示す斜視図である。
【図２】要部拡大正面図である。
【図３】図２のＡ−Ａ断面図である。
【図４】図２のＢ−Ｂ断面図である。
【図５】要部断面図である。
【符号の説明】
【００１７】
１  発泡断熱材
２  空間
３  真空断熱材
３ａ  面
４  表面シート
13  密封袋
14  内側面
20  縁部材
21  縁部材
24  辺
25  ネジ受け部材
【手続補正３】
【補正対象書類名】図面
【補正対象項目名】図６
【補正方法】削除
【補正の内容】
【手続補正４】
【補正対象書類名】図面
【補正対象項目名】図７
【補正方法】削除
【補正の内容】
【手続補正５】
【補正対象書類名】図面
【補正対象項目名】図８
【補正方法】削除
【補正の内容】
【手続補正６】
【補正対象書類名】図面
【補正対象項目名】図９
【補正方法】削除
【補正の内容】
【手続補正７】
【補正対象書類名】図面
【補正対象項目名】図１０
【補正方法】削除
【補正の内容】
【手続補正８】
【補正対象書類名】図面
【補正対象項目名】図１１
【補正方法】削除
【補正の内容】